(57)【要約】  キャリアアグリゲーションをサポートする通信システムにおいて、第一の基地局と第二の基地局と通信を行うユーザ装置であって、前記第一の基地局から受信する第一の無線信号の受信タイミングと、前記第二の基地局から受信する第二の無線信号の受信タイミングとの間のタイミングのずれを測定する測定部と、前記測定部により測定された、前記タイミングのずれを示す情報を前記第一の基地局又は前記第二の基地局に送信する送信部と、を有するユーザ装置を提供する。
2016157657.tif 000002
【特許請求の範囲】
【請求項１】
キャリアアグリゲーションをサポートする通信システムにおいて、第一の基地局と第二の基地局と通信を行うユーザ装置であって、
前記第一の基地局から受信する第一の無線信号の受信タイミングと、前記第二の基地局から受信する第二の無線信号の受信タイミングとの間のタイミングのずれを測定する測定部と、
前記測定部により測定された、前記タイミングのずれを示す情報を前記第一の基地局又は前記第二の基地局に送信する送信部と、
を有するユーザ装置。
【請求項２】
前記測定部は、前記タイミングのずれが所定の閾値に含まれているか否かを判断し、
前記送信部は、前記タイミングのずれが所定の閾値に含まれている場合、前記タイミングのずれが所定の閾値に含まれていることを示す情報を、前記第一の基地局又は前記第二の基地局に送信する、請求項１に記載のユーザ装置。
【請求項３】
前記タイミングのずれを示す情報は、前記第一の無線信号を構成するサブフレームのシステムフレーム番号及びサブフレーム番号と、前記第二の無線信号を構成するサブフレームのシステムフレーム番号及びサブフレーム番号とを含む、請求項１又は２に記載のユーザ装置。
【請求項４】
前記タイミングのずれを示す情報は、更に、前記第一の無線信号を構成するサブフレームの予め定められた測定タイミングと、前記第二の無線信号を構成するサブフレームの予め定められた測定タイミングとの間の時間の差分を示す情報を含む、請求項３に記載のユーザ装置。
【請求項５】
前記測定部は、前記第一の無線信号を構成するサブフレームの予め定められた測定タイミングと、前記第二の無線信号を構成するサブフレームの予め定められた測定タイミングとを比較することで、前記タイミングのずれを測定する、請求項１乃至４のいずれか一項に記載のユーザ装置。
【請求項６】
前記予め定められた測定タイミングは、サブフレームの開始タイミング、サブフレームの開始タイミング及び終了タイミングの中間のタイミング、又は、サブフレームの終了タイミングである、請求項５に記載のユーザ装置。
【請求項７】
キャリアアグリゲーションをサポートする通信システムにおいて、ユーザ装置と通信を行う基地局であって、
前記ユーザ装置から、当該基地局から送信される第一の無線信号の受信タイミングと、当該基地局とは異なる他の基地局から送信される第二の無線信号の受信タイミングとの間のタイミングのずれを示す情報を受信する受信手段と、
前記タイミングのずれを示す情報に基づいて、前記ユーザ装置を制御する制御手段と、
を有する基地局。
【請求項８】
前記制御手段は、前記タイミングのずれを示す情報に基づいて、前記ユーザ装置に対する無線リソースのスケジューリング、又は、前記ユーザ装置に間欠受信タイミングを指示する、請求項７に記載の基地局。
【発明の詳細な説明】
【技術分野】
【０００１】
本発明は、ユーザ装置及び基地局に関する。
【背景技術】
【０００２】
ＬＴＥ（Long Term Evolution）システムでは、所定の帯域幅（最大２０ＭＨｚ）を基本単位として、複数のキャリアを同時に用いて通信を行うキャリアアグリゲーション（ＣＡ：Carrier Aggregation）が採用されている。キャリアアグリゲーションにおいて基本単位となるキャリアはコンポーネントキャリア（ＣＣ：Component Carrier）と呼ばれる。【０００３】
ＣＡが行われる際には、ユーザ装置に対して、接続性を担保する信頼性の高いセルであるＰＣｅｌｌ（Primary Cell：プライマリセル）及び付随的なセルであるＳＣｅｌｌ（Secondary Cell：セカンダリセル）が設定される。ユーザ装置は、第１に、ＰＣｅｌｌに接続し、必要に応じて、ＳＣｅｌｌを追加することができる。【０００４】
ＳＣｅｌｌは、ＰＣｅｌｌに追加されてユーザ装置に対して設定されるセルである。ＳＣｅｌｌの追加及び削除は、ＲＲＣ（Radio Resource Control）シグナリングによって行われる。【０００５】
図１に示すように、ＬＴＥのＲｅｌ−１０のＣＡでは、同一基地局配下の複数のＣＣを用いている。また、Ｒｅｌ−１０のＣＡでは、最大で５つのＣＣを束ねることで、広帯域化により高速なデータレートを実現している。【０００６】
一方、Ｒｅｌ−１２では、異なる基地局配下のＣＣを用いて同時通信を行い、高スループットを実現するＤｕａｌ  Ｃｏｎｎｅｃｔｉｖｉｔｙ（二重接続、以下「ＤＣ」という）が提案されている。つまり、ＤＣでは、ユーザ装置は、２つの物理的に異なる基地局の無線リソースを同時に使用して通信を行う。【０００７】
ＤＣはＣＡの一種であり、Ｉｎｔｅｒ  ｅＮＢ  ＣＡ（基地局間キャリアアグリゲーション）とも呼ばれ、Ｍａｓｔｅｒ−ｅＮＢ（ＭｅＮＢ）と、Ｓｅｃｏｎｄａｒｙ−ｅＮＢ（ＳｅＮＢ）が導入される。図２に、ＤＣの例を示す。図２の例では、ＭｅＮＢがＣＣ＃１でユーザ装置と通信を行い、ＳｅＮＢがＣＣ＃２でユーザ装置と通信を行うことでＤＣを実現している。【０００８】
ＤＣにおいて、ＭｅＮＢ配下のセル（１つ又は複数）で構成されるセルグループをＭＣＧ（Master Cell Group、マスターセルグループ）、ＳｅＮＢ配下のセル（１つ又は複数）で構成されるセルグループをＳＣＧ（Secondary Cell Group、セカンダリセルグループ）と呼ぶ。ＳＣＧのうちの少なくとも１つのＳＣｅｌｌにはＵＬのＣＣが設定され、そのうちの１つにＰＵＣＣＨ（Physical Uplink Control Channel）が設定される。このＳＣｅｌｌをＰＳＣｅｌｌ（Primary SCell）と呼ぶ。
【先行技術文献】
【非特許文献】
【０００９】
【非特許文献１】３ＧＰＰ  ＴＳ  ３６．３００  Ｖ１２．４．０  （２０１４−１２）
【非特許文献２】３ＧＰＰ  ＴＳ  ３６．３３１  Ｖ１２．５．０  （２０１５−０３）
【発明の概要】
【発明が解決しようとする課題】
【００１０】
ＤＣによらないＣＡでは、各ＣＣは同一の基地局で構成されるため、各ＣＣの間では、ＳＦＮ（System Frame Number）、サブフレーム番号及び送信タイミングは同期されている。一方、ＤＣでは、各ＣＣは複数の基地局（ＭｅＮＢ、ＳｅＮＢ）から構成される。従って、ＭＣＧに属するＣＣ及びＳＣＧに属するＣＣの間では、ＳＦＮ、サブフレーム番号及び送信タイミングは同期されていない場合がある。図３Ａは、ＣＣ＃１とＣＣ＃２との間で、ＳＦＮ、サブフレーム番号及び送信タイミングが同期されている様子を図示したものである。図３Ｂは、ＣＣ＃１とＣＣ＃２との間で、ＳＦＮ、サブフレーム番号及び送信タイミングが同期されていない様子を図示したものである。【００１１】
ここで、ユーザ装置の消費電力を抑えるために、ＤＲＸ（間欠受信：Discontinuous Reception）制御と呼ばれる仕組みがＬＴＥで規定されている。ＤＲＸ制御によれば、ＲＲＣ  ｃｏｎｎｅｃｔｅｄ状態のユーザ装置は、ＰＤＣＣＨ（Physical Downlink Control Channel）の受信を所定の時間（Ｏｎ  ｄｕｒａｔｉｏｎ期間）のみ行い、それ以外の時間はＲＦ（Radio Frequency）部の処理を停止させるように動作することが許容されている。【００１２】
ＤＲＸ制御は、ユーザ装置ごとに基地局毎に独立して行われる。すなわち、ＤＣによるＣＡが行われる場合、ユーザ装置は、ＭＣＧを構成する基地局（ＭｅＮＢ）及びＳＣＧを構成する基地局（ＳｅＮＢ）の各々から、Ｏｎ  ｄｕｒａｔｉｏｎ期間及びＯｎ  ｄｕｒａｔｉｏｎ期間の開始タイミングを指示される。【００１３】
図４は、ＤＲＸ制御における課題を説明するための図である。ユーザ装置は、ＭＣＧに属するＣＣ＃１とＳＣＧに属するＣＣ＃２とを束ねたＣＡを行っていると仮定する。図４に示すように、ＣＣ＃１に対するＯｎ  ｄｕｒａｔｉｏｎ期間及びＯｎ  ｄｕｒａｔｉｏｎ期間の開始タイミングと、ＣＣ＃２に対するＯｎ  ｄｕｒａｔｉｏｎ期間及びＯｎ  ｄｕｒａｔｉｏｎ期間の開始タイミングとが、基地局からユーザ装置に対して独立に指示されるため、ユーザ装置のＲＦ部が動作する時間が長くなる。【００１４】
一般的なユーザ装置において、ＭＣＧに属するＣＣの為に用いられるＲＦ部と、ＳＣＧに属するＣＣの為に用いられるＲＦ部とは、一部共通の素子を用いて実装されていることが多い。従って、各ＲＦ部を独立して停止させるより、両方のＲＦ部を停止させるほうが、ユーザ装置の消費電力を抑える効果が高くなる。【００１５】
しかしながら、ＤＲＸ制御はユーザ装置ごとに基地局毎に独立して行われることから、両方のＲＦ部を停止させるように、ＣＣ＃１及びＣＣ＃２のＯｎ  ｄｕｒａｔｉｏｎ期間を揃えることができないという問題がある。【００１６】
また、ＬＴＥでは、ユーザ装置をより品質の良いセルに接続させるため、又は、セル間のロードバランシング等を行うために、ユーザ装置に各セルの無線品質を測定させるようにしている。ユーザ装置は、通信している周波数とは異なる周波数のセルの無線品質を測定する場合、ＲＦ部の周波数切替えを行うためにＤＬ（Downlink）及びＵＬ（Uplink）の通信を停止させる。当該通信を停止させる時間は、ｍｅａｓｕｒｅｍｅｎｔ  ｇａｐと呼ばれる。【００１７】
ｍｅａｓｕｒｅｍｅｎｔ  ｇａｐを設ける区間及びタイミング（Gap Pattern及びGap offsetで指定される）は、基地局で決定されてユーザ装置に通知される。また、基地局は、ｍｅａｓｕｒｅｍｅｎｔ  ｇａｐに該当する時間は、当該ユーザ装置に向けたＤＬ及びＵＬのスケジューリングを停止することで、ユーザ装置が通信を停止させている時間帯に、無駄に無線リソースを割当てないようにしている。【００１８】
なお、ＣＡが行われる場合、基地局は、全てのＣＣに対して同一タイミングでｍｅａｓｕｒｅｍｅｎｔ  ｇａｐを設ける区間及びタイミングを設定する。一方、ＤＣによるＣＡが行われる場合、ＭＣＧを構成する基地局（ＭｅＮＢ）がｍｅａｓｕｒｅｍｅｎｔ  ｇａｐを設ける区間及びタイミングを設定する。【００１９】
図５は、Ｍｅａｓｕｒｅｍｅｎｔ  ｇａｐ制御における課題を説明するための図である。ユーザ装置は、ＭＣＧに属するＣＣ＃１とＳＣＧに属するＣＣ＃２とを束ねたＣＡを行っていると仮定する。前述の通り、ユーザ装置は、ｍｅａｓｕｒｅｍｅｎｔ  ｇａｐが設定されている間、ＲＦ部の周波数切替えを行うためにＤＬ及びＵＬの通信を停止させる。すなわち、ユーザ装置は、Ｍｅａｓｕｒｅｍｅｎｔ  ｇａｐが設定されている間、ＣＣ＃１に加えてＣＣ＃２における通信も停止させる。図５のようにＣＣ＃１とＣＣ＃２との間でサブフレームが同期されていない場合、ＣＣ＃２のサブフレームのうち、「通信不可区間」で示される区間において、ユーザ装置は、ＤＬ及びＵＬの通信を行うことができないことになる。【００２０】
しかしながら、ＳＣＧを構成する基地局（ＳｅＮＢ）は、「通信不可区間」を認識していなければ、ＣＣ＃２において当該ユーザ装置に向けたＤＬ及びＵＬのスケジューリングを行ってしまう。すなわち、ユーザ装置が通信出来ない状態であるにも関わらず、無駄に無線リソースを割当ててしまうという問題がある。【００２１】
ＬＴＥのＲｅｌ−１２の規定によれば、ＤＣにおいて、各ＣＣを構成する基地局（ＭｅＮＢ、ＳｅＮＢ）の間で、ＯＡＭ（Operation And Management）等を介してＳＦＮ、サブフレーム番号及び送信タイミングの差分に関する情報をお互いに把握するようにすることが想定されている。各基地局の間で当該情報をお互いに把握することで、上述の問題は解決できると想定される。【００２２】
しかしながら、実際には、各ＣＣを構成する基地局のベンダが異なる場合、ＯＡＭのインタフェースが統一されていない等の理由により、各基地局の間で当該情報をお互いに把握することが困難であった。【００２３】
開示の技術は上記に鑑みてなされたものであって、複数の基地局から送信される無線信号の各々のサブフレームのずれをユーザ装置が検出して基地局に通知する技術を提供することを目的とする。
【課題を解決するための手段】
【００２４】
開示の技術のユーザ装置は、キャリアアグリゲーションをサポートする通信システムにおいて、第一の基地局と第二の基地局と通信を行うユーザ装置であって、前記第一の基地局から受信する第一の無線信号の受信タイミングと、前記第二の基地局から受信する第二の無線信号の受信タイミングとの間のタイミングのずれを測定する測定部と、前記測定部により測定された、前記タイミングのずれを示す情報を前記第一の基地局又は前記第二の基地局に送信する送信部と、を有する。【００２５】
また、開示の技術の基地局は、キャリアアグリゲーションをサポートする通信システムにおいて、ユーザ装置と通信を行う基地局であって、前記ユーザ装置から、当該基地局から送信される第一の無線信号の受信タイミングと、当該基地局とは異なる他の基地局から送信される第二の無線信号の受信タイミングとの間のタイミングのずれを示す情報を受信する受信手段と、前記タイミングのずれを示す情報に基づいて、前記ユーザ装置を制御する制御手段と、を有する。
【発明の効果】
【００２６】
開示の技術によれば、複数の基地局から送信される無線信号の各々のサブフレームのずれをユーザ装置が検出して基地局に通知する技術が提供される。
【図面の簡単な説明】
【００２７】
【図１】Ｒｅｌ−１０ＬＴＥのＣＡを説明するための図である。
【図２】Ｒｅｌ−１２で導入されたＤｕａｌ  ｃｏｎｎｅｃｔｉｖｉｔｙの例を示す図である。
【図３Ａ】ＣＣの同期状態を説明するための図である。
【図３Ｂ】ＣＣの同期状態を説明するための図である。
【図４】ＤＲＸ制御における課題を説明するための図である。
【図５】Ｍｅａｓｕｒｅｍｅｎｔ  ｇａｐ制御における課題を説明するための図である。
【図６】実施の形態に係る通信システムの構成を示す図である。
【図７】実施の形態に係るユーザ装置の機能構成の一例を示す図である。
【図８】実施の形態に係る基地局の機能構成の一例を示す図である。
【図９】実施の形態に係るユーザ装置のハードウェア構成の一例を示す図である。
【図１０】実施の形態に係る基地局のハードウェア構成の一例を示す図である。
【図１１】実施の形態に係る通信システムの処理手順の一例を示すシーケンス図である。
【図１２Ａ】受信タイミングのずれの測定方法及び受信タイミング情報の一例（その１）を説明するための図である。
【図１２Ｂ】受信タイミングのずれの測定方法及び受信タイミング情報の一例（その１）を説明するための図である。
【図１３Ａ】ＤＲＸ制御におけるＯｎ  ｄｕｒａｔｉｏｎ区間（その１）を説明するための図である。
【図１３Ｂ】ＤＲＸ制御におけるＯｎ  ｄｕｒａｔｉｏｎ区間（その１）を説明するための図である。
【図１４Ａ】受信タイミングのずれの測定方法及び受信タイミング情報の一例（その２）を説明するための図である。
【図１４Ｂ】受信タイミングのずれの測定方法及び受信タイミング情報の一例（その２）を説明するための図である。
【図１５Ａ】ＤＲＸ制御におけるＯｎ  ｄｕｒａｔｉｏｎ区間（その２）を説明するための図である。
【図１５Ｂ】ＤＲＸ制御におけるＯｎ  ｄｕｒａｔｉｏｎ区間（その２）を説明するための図である。
【図１６】ユーザ装置における測定誤差を説明するための図である。
【発明を実施するための形態】
【００２８】
以下、図面を参照して本発明の実施の形態を説明する。なお、以下で説明する実施の形態は一例に過ぎず、本発明が適用される実施の形態は、以下の実施の形態に限られるわけではない。本実施の形態では、ＬＴＥの移動通信システムを対象とするが、本発明はＬＴＥに限らず他の移動通信システムにも適用可能である。また、本実施の形態では、キャリアアグリゲーション技術が導入されている移動通信システムである前提で説明するが、これに限定されるわけではない。
【００２９】
なお、本明細書及び特許請求の範囲において、「ＬＴＥ」は、３ＧＰＰのリリース８、又は９に対応する通信方式のみならず、３ＧＰＰのリリース１０、１１、１２、１３、又はリリース１４以降に対応する通信方式も含む広い意味で使用する。
【００３０】
＜システム全体構成＞
図６は、実施の形態に係る通信システムの構成を示す図である。図６に示すように、本実施の形態における通信システムは、ユーザ装置１とＭＣＧを構成する基地局（ＭｅＮＢ）２ａとＳＣＧを構成する基地局（ＳｅＮＢ）２ｂとを含む通信システムである。基地局２ａと基地局２ｂとは、ＤＣによるＣＡを構成しており、ユーザ装置１は、基地局２ａと基地局２ｂとの間でＣＡ通信を行うことができる。
【００３１】
また、基地局２ａはセル３ａ（ＰＣｅｌｌ）を構成しており、基地局２ｂはセル３ｂ（ＰＳＣｅｌｌ）を構成している。各セル（３ａ、３ｂ）は、例えば、１つのＣＣ、もしくは、下りＣＣと上りＣＣとの組とからなるが、以下の説明では、各セルはＣＣと同義と考えてよい。また、図６において、基地局２ａ及び基地局２ｂは、それぞれセル３ａ及びセル３ｂを構成するように図示されているが、図示の便宜上のものであり、基地局２ａ及び基地局２ｂは、それぞれ他のセル（ＳＣｅｌｌ）を更に構成するようにしてもよい。
【００３２】
なお、以下の説明において、基地局２ａ及び基地局２ｂを、まとめて基地局２と記載することがある。また、セル３ａ及びセル３ｂを、まとめてセル３と記載することがある。
【００３３】
ユーザ装置１は、無線を通じて基地局２及びコアネットワーク等と通信を行う機能を有する。ユーザ装置１は、例えば、携帯電話、スマートフォン、タブレット、モバイルルータ、ウェアラブル端末などである。ユーザ装置１は、通信機能を有する機器であれば、どのようなユーザ装置１であってもよい。ユーザ装置１は、プロセッサなどのＣＰＵ、ＲＯＭ、ＲＡＭ又はフラッシュメモリなどのメモリ装置、基地局２と通信するためのアンテナ、ＲＦ（Radio Frequency）装置などのハードウェアリソースにより構成される。ユーザ装置１の各機能及び処理は、メモリ装置に格納されているデータやプログラムをプロセッサが処理又は実行することによって実現されてもよい。しかしながら、ユーザ装置１は、上述したハードウェア構成に限定されず、他の何れか適切なハードウェア構成を有してもよい。
【００３４】
基地局２は、無線を通じてユーザ装置１との間で通信を行う。基地局２は、プロセッサなどのＣＰＵ、ＲＯＭ、ＲＡＭ又はフラッシュメモリなどのメモリ装置、ユーザ装置１等と通信するためのアンテナ、隣接する基地局２及びコアネットワーク等と通信するための通信インタフェース装置などのハードウェアリソースにより構成される。基地局２の各機能及び処理は、メモリ装置に格納されているデータやプログラムをプロセッサが処理又は実行することによって実現されてもよい。しかしながら、基地局２は、上述したハードウェア構成に限定されず、他の何れか適切なハードウェア構成を有してもよい。
【００３５】
実施の形態に係る通信システムにおいて、ユーザ装置１は、基地局２ａ及び基地局２ｂの各々から受信した無線信号のサブフレームのずれを測定し、測定したサブフレームのずれを基地局２ａ又は／及び基地局２ｂに通知するようにする。また、基地局２ａ及び基地局２ｂは、ユーザ装置１から通知されたサブフレームのずれに基づき、ＤＲＸ制御及びｍｅａｓｕｒｅｍｅｎｔ  ｇａｐを考慮したスケジューリング制御を行うようにする。
【００３６】
＜機能構成＞
（ユーザ装置）
図７は、実施の形態に係るユーザ装置の機能構成の一例を示す図である。図７に示すように、ユーザ装置１は、信号受信部１１、信号送信部１２、受信タイミング測定部１３、及び報告部１４を有する。図７は、ユーザ装置１において本発明の実施の形態に特に関連する機能部のみを示すものであり、少なくともＬＴＥに準拠した動作を行うための図示しない機能も有するものである。また、図７に示す機能構成は一例に過ぎない。本実施の形態に係る動作を実行できるのであれば、機能区分や機能部の名称はどのようなものでもよい。
【００３７】
信号受信部１１は、基地局２から各種の信号を無線受信し、受信した物理レイヤの信号からより上位のレイヤの信号を取得する機能を含む。信号送信部１２は、ユーザ装置１から送信されるべき上位のレイヤの信号から、物理レイヤの各種信号を生成し、無線送信する機能を含む。また、信号受信部１１及び信号送信部１２はそれぞれ、複数のＣＣを束ねて通信を行うＣＡを実行する機能を含む。信号受信部１１と信号送信部１２はそれぞれ、パケットバッファを備え、レイヤ１（ＰＨＹ）及びレイヤ２（ＭＡＣ、ＲＬＣ、ＰＤＣＰ）の処理を行うことを想定している。ただし、これに限られるわけではない。
【００３８】
また、信号受信部１１は、基地局２ａから送信される同期信号（ＰＳＳ、ＳＳＳ）及びＰＢＣＨ（Physical Broadcast Channel）に含まれるＭＩＢ（Master Information Block）等に基づいて、基地局２ａ及び基地局２ｂから送信される無線信号の各々の受信タイミング（シンボルタイミング）、ＳＦＮ及びサブフレーム番号を認識する。
【００３９】
受信タイミング測定部１３は、基地局２ａから送信される無線信号の受信タイミング（シンボルタイミング）、ＳＦＮ及びサブフレーム番号と、基地局２ｂから送信される無線信号の受信タイミング（シンボルタイミング）、ＳＦＮ及びサブフレーム番号とを比較し、基地局２ａから送信される無線信号と基地局２ｂから送信される無線信号との間の受信タイミングのずれを測定する。
【００４０】
報告部１４は、受信タイミング測定部１３で測定された受信タイミングのずれを示す情報（以下、「受信タイミング情報」という）を、信号送信部１２を介して、基地局２ａ又は／及び基地局２ｂに送信（通知）する。
【００４１】
（基地局）
図８は、実施の形態に係る基地局の機能構成の一例を示す図である。図８に示すように、基地局２は、信号受信部２１、信号送信部２２、基地局間通信部２３、連携情報交換部２４、記憶部２５、ＤＲＸ制御部２６、及びスケジューリング制御部２７を有する。図８は、基地局２において本発明の実施の形態に特に関連する機能部のみを示すものであり、少なくともＬＴＥに準拠した動作を行うための図示しない機能も有するものである。また、図８に示す機能構成は一例に過ぎない。本実施の形態に係る動作を実行できるのであれば、機能区分や機能部の名称はどのようなものでもよい。
【００４２】
信号受信部２１は、ユーザ装置１から各種の信号を無線受信し、受信した物理レイヤの信号からより上位のレイヤの信号を取得する機能を含む。信号送信部２２は、基地局２から送信されるべき上位のレイヤの信号から、物理レイヤの各種信号を生成し、無線送信する機能を含む。信号受信部２１及び信号送信部２２はそれぞれ、複数のＣＣを束ねて通信を行うＣＡを実行する機能を含むようにしてもよい。
【００４３】
信号受信部２１と信号送信部２２はそれぞれ、パケットバッファを備え、レイヤ１（ＰＨＹ）及びレイヤ２（ＭＡＣ、ＲＬＣ、ＰＤＣＰ）の処理を行うことを想定している。ただし、これに限られるわけではない。
【００４４】
基地局間通信部２３は、他の基地局との間で通信を行う。また、基地局間通信部２３は、Ｘ２インタフェースを介して送受信される信号を処理する機能を含むようにしてもよい。
【００４５】
連携情報交換部２４は、ユーザ装置１から受信タイミング情報を受信すると共に、受信タイミング情報に基づいて、ＤＲＸ制御及びｍｅａｓｕｒｅｍｅｎｔ  ｇａｐを考慮したスケジューリング制御を連携して行うための情報（以下、「連携情報」という）を他の基地局との間で交換する。また、他の基地局との間で交換した連携情報を、記憶部２５に格納する。
【００４６】
記憶部２５は、連携情報を記憶する。なお、連携情報は、ユーザ装置１ごとに異なる情報であり、例えば、ＤＲＸ制御において基地局２の間でＯｎ  ｄｕｒａｔｉｏｎ期間を揃えるための情報、ＭｅＮＢでｍｅａｓｕｒｅｍｅｎｔ  ｇａｐを設ける区間及びタイミングに関する情報等が含まれる。
【００４７】
ＤＲＸ制御部２６は、受信タイミング情報又は／及び記憶部２５に記憶されている連携情報に基づいて、ユーザ装置１に対して、Ｏｎ  ｄｕｒａｔｉｏｎ期間及びＯｎ  ｄｕｒａｔｉｏｎ期間の開始タイミングを指示する。
【００４８】
スケジューリング制御部２７は、受信タイミング情報又は／及び記憶部２５に記憶されている連携情報に基づいて、ｍｅａｓｕｒｅｍｅｎｔ  ｇａｐの区間に該当するサブフレームについてはＤＬ及びＵＬの無線リソースを割当てないようにスケジューリングを行う。
【００４９】
以上説明したユーザ装置１及び基地局２の機能構成は、全体をハードウェア回路（例えば、１つ又は複数のＩＣチップ）で実現してもよいし、一部をハードウェア回路で構成し、その他の部分をＣＰＵとプログラムとで実現してもよい。
【００５０】
図９は、実施の形態に係るユーザ装置のハードウェア構成例を示す図である。図９は、図７よりも実装例に近い構成を示している。図９に示すように、ユーザ装置１は、無線信号に関する処理を行うＲＥ（Radio Equipment）モジュール１０１と、ベースバンド信号処理を行うＢＢ（Base Band）処理モジュール１０２と、上位レイヤ等の処理を行う装置制御モジュール１０３と、ＳＩＭカードにアクセスするインタフェースであるＳＩＭスロット１０４とを有する。
【００５１】
ＲＥモジュール１０１は、ＢＢ処理モジュール１０２から受信したデジタルベースバンド信号に対して、Ｄ／Ａ（Digital-to-Analog）変換、変調、周波数変換、及び電力増幅等を行うことでアンテナから送信すべき無線信号を生成する。また、受信した無線信号に対して、周波数変換、Ａ／Ｄ（Analog to Digital）変換、復調等を行うことでデジタルベースバンド信号を生成し、ＢＢ処理モジュール１０２に渡す。ＲＥモジュール１０１は、例えば、図７に示す信号受信部１１の一部及び信号送信部１２の一部を含む。
【００５２】
ＢＢ処理モジュール１０２は、ＩＰパケットとデジタルベースバンド信号とを相互に変換する処理を行う。ＤＳＰ（Digital Signal Processor）１１２は、ＢＢ処理モジュール１０２における信号処理を行うプロセッサである。メモリ１２２は、ＤＳＰ１１２のワークエリアとして使用される。ＢＢ処理モジュール１０２は、例えば、図７に示す信号受信部１１の一部、信号送信部１２の一部及び受信タイミング測定部１３を含む。
【００５３】
装置制御モジュール１０３は、ＩＰレイヤのプロトコル処理、各種アプリケーションの処理等を行う。プロセッサ１１３は、装置制御モジュール１０３が行う処理を行うプロセッサである。メモリ１２３は、プロセッサ１１３のワークエリアとして使用される。また、プロセッサ１１３は、ＳＩＭスロット１０４を介してＳＩＭとの間でデータの読出し及び書込みを行う。装置制御モジュール１０３は、例えば、図７に示す報告部１４を含む。
【００５４】
図１０は、実施の形態に係る基地局のハードウェア構成例を示す図である。図１０は、図８よりも実装例に近い構成を示している。図６に示すように、基地局２は、無線信号に関する処理を行うＲＥモジュール２０１と、ベースバンド信号処理を行うＢＢ処理モジュール２０２と、上位レイヤ等の処理を行う装置制御モジュール２０３と、ネットワークと接続するためのインタフェースである通信ＩＦ２０４とを有する。
【００５５】
ＲＥモジュール２０１は、ＢＢ処理モジュール２０２から受信したデジタルベースバンド信号に対して、Ｄ／Ａ変換、変調、周波数変換、及び電力増幅等を行うことでアンテナから送信すべき無線信号を生成する。また、受信した無線信号に対して、周波数変換、Ａ／Ｄ変換、復調等を行うことでデジタルベースバンド信号を生成し、ＢＢ処理モジュール２０２に渡す。ＲＥモジュール４０１は、例えば、図８に示す信号受信部２１の一部及び信号送信部２２の一部を含む。
【００５６】
ＢＢ処理モジュール２０２は、ＩＰパケットとデジタルベースバンド信号とを相互に変換する処理を行う。ＤＳＰ２１２は、ＢＢ処理モジュール２０２における信号処理を行うプロセッサである。メモリ２２２は、ＤＳＰ２１２のワークエリアとして使用される。ＢＢ処理モジュール２０２は、例えば、図８に示す信号受信部２１の一部及び信号送信部２２の一部、記憶部２５、ＤＲＸ制御部２６及びスケジューリング制御部２７を含む。
【００５７】
装置制御モジュール２０３は、ＩＰレイヤのプロトコル処理、ＯＡＭ（Operation and Maintenance）処理等を行う。プロセッサ２１３は、装置制御モジュール２０３が行う処理を行うプロセッサである。メモリ２２３は、プロセッサ２１３のワークエリアとして使用される。補助記憶装置２３３は、例えばＨＤＤ等であり、基地局２自身が動作するための各種設定情報等が格納される。装置制御モジュール２０３は、例えば、図８に示す連携情報交換部２４を含む。通信ＩＦ２０４は、例えば、図８に示す基地局間通信部２３を含む。
【００５８】
＜処理手順＞
（処理シーケンス）
図１１は、実施の形態に係る通信システムの処理手順の一例を示すシーケンス図である。
図１１を用いて、基地局２ａ及び基地局２ｂから送信される無線信号の受信タイミングのずれをユーザ装置１が測定し、測定結果を示す情報（受信タイミング情報）を基地局２ａ又は／及び基地局２ｂに送信する処理手順について説明する。ユーザ装置１は、基地局２ａが構成するセル３ａと基地局２ｂが構成するセル３ｂとの間でＣＡを行っている前提とする。
【００５９】
なお、図１１において、「処理手順１」は、ユーザ装置１が受信タイミング情報を所定の基地局２ａのみに送信する場合の処理手順を示し、「処理手順２」は、ユーザ装置１が受信タイミング情報をＤＣによるＣＡを構成する全ての基地局２に送信する場合の処理手順を示している。なお、「処理手順１」において、ユーザ装置１は、受信タイミング情報を所定の基地局２ｂのみに送信するようにしてもよい。
【００６０】
ステップＳ１０１で、基地局２ａ及び基地局２ｂの信号送信部２２は、ユーザ装置１に無線信号を送信する。無線信号には、同期信号（ＰＳＳ、ＳＳＳ）、ＰＢＣＨ等が含まれている。また、ユーザ装置１の信号受信部１１は、基地局２ａ及び基地局２ｂから送信される同期信号、ＰＢＣＨ等に基づき、基地局２ａ及び基地局２ｂから送信される無線信号の各々の受信タイミング（シンボルタイミング）、ＳＦＮ、サブフレーム番号及びセルを一意に識別する情報を認識する。
【００６１】
ステップＳ１０２で、ユーザ装置１の受信タイミング測定部１３は、基地局２ａから送信される無線信号の受信タイミング（シンボルタイミング）、ＳＦＮ及びサブフレーム番号と、基地局２ｂから送信される無線信号の受信タイミング（シンボルタイミング）、ＳＦＮ及びサブフレーム番号とを比較し、基地局２ａから送信される無線信号と基地局２ｂから送信される無線信号との間の受信タイミングのずれを測定する。
【００６２】
ステップＳ１０３で、ユーザ装置１の報告部１４は、信号送信部１２を介して、ステップＳ１０２で測定した受信タイミングのずれを示す受信タイミング情報を含む受信タイミング情報報告信号を基地局２ａに送信する。なお、受信タイミング情報報告信号は、例えば、ＲＲＣの制御信号でもよいし、ＭＡＣ信号のコマンドでもよいし、物理チャネルの制御情報であってもよい。
【００６３】
ステップＳ１０４で、基地局２ａは、基地局２ｂとの間で連携情報を交換する。連携情報の交換は、例えば、Ｘ２インタフェースを用いて行われてもよいし、ＯＡＭに用いられるインタフェースを用いて行われてもよい。
【００６４】
ステップＳ１０５及びステップＳ１０７は、それぞれステップＳ１０３及びステップＳ１０４と同一であるため説明は省略する。
【００６５】
ステップＳ１０６で、ユーザ装置１の報告部１４は、信号送信部１２を介して、ステップＳ１０２で測定した受信タイミングのずれを示す受信タイミング情報を含む受信タイミング情報報告信号を基地局２ｂに送信する。なお、受信タイミング情報報告信号は、例えば、ＲＲＣの制御信号でもよいし、ＭＡＣ信号のコマンドでもよいし、物理チャネルの制御情報であってもよい。
【００６６】
（処理手順の具体例（その１））
続いて、ユーザ装置１がステップＳ１０２で行う処理の内容、及び、ステップＳ１０３又はステップＳ１０６で基地局２に送信する受信タイミング情報の内容について具体的に説明する。更に、図１１による処理手順が行われた後、基地局２ａ及び基地局２ｂが行うＤＲＸ制御の動作を具体的に説明する。なお、以下の説明において、基地局２ａがＣＣ＃１を構成し、基地局２ｂがＣＣ＃２を構成するものとする。また、以下の説明において、ＣＣ＃１は、ＰＣｅｌｌでもよいしＳＣｅｌｌでもよい。また、ＣＣ＃２は、ＰＳＣｅｌｌでもよいしＳＣｅｌｌでもよい。
【００６７】
図１２Ａ及び図１２Ｂは、受信タイミングのずれの測定方法及び受信タイミング情報の一例（その１）を説明するための図である。図１３Ａ及び図１３Ｂは、ＤＲＸ制御におけるＯｎ  ｄｕｒａｔｉｏｎ区間（その１）を説明するための図である。
【００６８】
図１２Ａ及び図１２Ｂにおいて、「ａ」は、ＣＣ＃１におけるＳＦＮを示しており、「ｉ」は、ＣＣ＃１におけるサブフレーム番号を示している。つまり「ａ／ｉ＋１」、「ａ／ｉ＋２」及び「ａ／ｉ＋３」で示されるサブフレームは、ＣＣ＃１における連続する３つのサブフレームを示している。同様に、「ｂ」は、ＣＣ＃２におけるＳＦＮを示しており、「ｎ」は、ＣＣ＃２におけるサブフレーム番号を示している。つまり、「ｂ／ｎ」、「ｂ／ｎ＋１」及び「ｂ／ｎ＋２」で示されるサブフレームは、ＣＣ＃２における連続する３つのサブフレームを示している。同様に、図１３Ａ及び図１３Ｂにおいて、「ｉ」は、ＣＣ＃１におけるサブフレーム番号を示しており、「ｎ」は、ＣＣ＃２におけるサブフレーム番号を示している。
【００６９】
まず、受信タイミング測定部１３は、ＣＣ＃１におけるいずれか１つのサブフレームを選択し、選択したサブフレームのＳＦＮ及びサブフレーム番号を記憶しておく。選択されたＣＣ＃１のサブフレームは、受信タイミング測定部１３が受信タイミングのずれを測定する際の基準になるサブフレームである。図１２Ａ及び図１２Ｂの例では、受信タイミング測定部１３は、「ａ／ｉ＋２」のサブフレームを選択したと仮定する。
【００７０】
続いて、受信タイミング測定部１３は、選択されたＣＣ＃１のサブフレーム（図１２Ａ及び図１２Ｂの例では「ａ／ｉ＋２」のサブフレーム）の開始地点〜終了地点までの間に開始地点があるＣＣ＃２のサブフレームを選択し、そのサブフレームのＳＦＮ及びサブフレーム番号を記憶しておく。図１２Ａ及び図１２Ｂの例では、「ｂ／ｎ＋１」のサブフレームが選択される。
【００７１】
続いて、受信タイミング測定部１３は、選択されたＣＣ＃１のサブフレーム（図１２Ａ及び図１２Ｂの例では「ａ／ｉ＋２」のサブフレーム）の開始地点と、選択されたＣＣ＃２のサブフレーム（図１２Ａ及び図１２Ｂの例では「ｂ／ｎ＋１」のサブフレーム）の開始地点との間の時間のずれ「Ｘ」を測定し、測定したＸの値を記憶しておく。
【００７２】
続いて、報告部１４は、選択されたＣＣ＃１のサブフレーム（図１２Ａ及び図１２Ｂの例では「ａ／ｉ＋２」のサブフレーム）のＳＦＮ、サブフレーム番号及びＣＣ＃１を一意に識別する識別子と、選択されたＣＣ＃２のサブフレーム（図１２Ａ及び図１２Ｂの例では「ｂ／ｎ＋１」のサブフレーム）のＳＦＮ、サブフレーム番号及びＣＣ＃２を一意に識別する識別子と、測定したＸの値とを、受信タイミング情報に格納して基地局２ａ又は／及び基地局２ｂに送信する（図１１のステップＳ１０３、Ｓ１０５又はＳ１０６）。
【００７３】
なお、ＣＣ＃１を一意に識別する識別子及びＣＣ＃２を一意に識別する識別子は、例えば、ＣｅｌｌＩｎｄｅｘであってもよいし、他の識別子でもよい。基地局２がＣＡを構成するセル又はＣＣを一意に識別できる識別子であれば、どのような識別子でもよい。
【００７４】
なお、図１２Ａは、選択されたＣＣ＃１のサブフレームと選択されたＣＣ＃２のサブフレームとの間の時間のずれ（Ｘの値）が、サブフレーム間隔の半分（０．５ｍｓ）より短い場合の一例を示しており、図１２Ｂは、Ｘの値が、サブフレーム間隔の半分（０．５ｍｓ）より長い場合の一例を示している。
【００７５】
基地局２は、Ｘの値が０．５ｍｓより短い場合、図１２Ａのように、受信タイミング情報で報告されたＣＣ＃１のサブフレーム及びＣＣ＃２のサブフレーム同士が、半分以上（０．５ｍｓ以上）重なっていると判断することができる。
【００７６】
この場合、例えば、基地局２ａのＤＲＸ制御部２６は、報告されたＣＣ＃１のサブフレームのＳＦＮから所定の無線フレーム区間後（例えばＺ区間後）の無線フレームにおいて、報告されたＣＣ＃１のサブフレーム番号のサブフレームを開始点としてＯｎ  ｄｕｒａｔｉｏｎ区間を設定するようにしてもよい。同様に、基地局２ｂのＤＲＸ制御部２６は、報告されたＣＣ＃２のサブフレームのＳＦＮから所定の無線フレーム区間後（ＣＣ＃１と同様のＺ区間後）の無線フレームにおいて、報告されたＣＣ＃２のサブフレーム番号（「ｎ＋１」）のサブフレームを開始点としてＯｎ  ｄｕｒａｔｉｏｎ区間を設定するようにしてもよい。このようにＯｎ  ｄｕｒａｔｉｏｎ区間が設定された場合の様子を図１３Ａに示す。なお、太枠で示されているサブフレームは、受信タイミング情報で報告されたサブフレーム番号に該当するサブフレームを示している。
【００７７】
一方、基地局２は、Ｘの値が０．５ｍｓ以上の場合、図１２Ｂのように、受信タイミング情報で報告されたＣＣ＃１のサブフレーム及びＣＣ＃２のサブフレーム同士が重なっている区間は、サブフレーム間隔の半分未満であると判断することができる。この場合、例えば、基地局２ａのＤＲＸ制御部２６は、報告されたＣＣ＃１のサブフレームのＳＦＮから所定の無線フレーム区間後（例えばＺ区間後）の無線フレームにおいて、報告されたＣＣ＃１のサブフレーム番号のサブフレームを開始点としてＯｎ  ｄｕｒａｔｉｏｎ区間を設定するようにしてもよい。同様に、基地局２ｂのＤＲＸ制御部２６は、報告されたＣＣ＃２のサブフレームのＳＦＮから所定の無線フレーム区間後（ＣＣ＃１と同様のＺ区間後）の無線フレームにおいて、報告されたＣＣ＃２のサブフレーム番号（「ｎ＋１」）の１つ前のサブフレーム（「ｎ」）を開始点としてＯｎ  ｄｕｒａｔｉｏｎ区間を設定するようにしてもよい。このようにＯｎ  ｄｕｒａｔｉｏｎ区間が設定された場合の様子を図１３Ｂに示す。なお、太枠で示されているサブフレームは、受信タイミング情報で報告されたサブフレーム番号に該当するサブフレームを示している。
【００７８】
なお、上述の処理手順の具体例（その１）は一例であり、これに限られない。受信タイミング測定部１３は、基準となるＣＣ＃１のサブフレームの開始地点〜終了地点の間に開始地点があるＣＣ＃２のサブフレームを選択するようにしたが、例えば、受信タイミング測定部１３は、ＣＣ＃１で選択した基準となるサブフレームの開始地点〜終了地点の間に終了地点があるＣＣ＃２のサブフレームを選択するようにしてもよい。また、別の例として、例えば、受信タイミング測定部１３は、ＣＣ＃１で選択した基準となるサブフレームと同一のサブフレーム番号を有するＣＣ＃２のサブフレームを選択するようにしてもよいし、ＣＣ＃１で選択した基準となるサブフレームと同一のＳＦＮ及びサブフレーム番号を有するＣＣ＃２のサブフレームを選択するようにしてもよい。
【００７９】
つまり、受信タイミング情報で通知されるＣＣ＃１のサブフレーム及びＣＣ＃２のサブフレームの選択基準と、時間のずれ「Ｘ」がどの区間の時間のずれを示しているのかとが、ユーザ装置１と基地局２との間で認識が統一されていれば、どのような処理手順であってもよい。
【００８０】
また、時間のずれ「Ｘ」には、例えば、具体的な時間（例えばマイクロ秒単位）を格納するようにしてもよいし、所定の数（例えば、１００マイクロ秒）で離散化された値を格納するようにしてもよいし、所定の時間のずれに対応づけられるインデックス番号等を格納するようにしてもよい。
【００８１】
また、受信タイミング測定部１３は、時間のずれ「Ｘ」を測定する場合、選択されたＣＣ＃１及びＣＣ＃２のサブフレームの開始地点どうしを比較するようにしてもよいし、終了地点どうしを比較するようにしてもよいし、サブフレームの中間地点どうしを比較するようにしてもよい。また、所定のシンボルタイミングの地点どうしを比較するようにしてもよい。受信タイミング測定部１３は、どのような方法で時間のずれ「Ｘ」を測定するようにしてもよい。
【００８２】
また、報告部１４は、例えば、ＣＣ＃２のサブフレームのＳＦＮ、及びサブフレーム番号の代わりに、ＣＣ＃１のサブフレームのＳＦＮとの差分（例えば、ＣＣ＃２のＳＦＮからＣＣ＃１のＳＦＮを引いた値）と、ＣＣ＃１のサブフレーム番号との差分（例えば、ＣＣ＃２のサブフレーム番号からＣＣ＃１のサブフレーム番号を引いた値）とを受信タイミング情報に格納するようにしてもよい。逆に、報告部１４は、例えば、ＣＣ＃１のサブフレームのＳＦＮ、及びサブフレーム番号の代わりに、ＣＣ＃２のサブフレームのＳＦＮとの差分（例えば、ＣＣ＃１のＳＦＮからＣＣ＃２のＳＦＮを引いた値）と、ＣＣ＃２のサブフレーム番号との差分（例えば、ＣＣ＃１のサブフレーム番号からＣＣ＃２のサブフレーム番号を引いた値）とを受信タイミング情報に格納するようにしてもよい。また、報告部１４は、ＳＦＮ及びサブフレーム番号の各々の差分を計算するのではなく、ＳＦＮ及びサブフレーム番号が連結された値どうしを引き算することで差分を計算し、計算した差分を受信タイミング情報に格納するようにしてもよい。
【００８３】
なお、基地局２ａ及び基地局２ｂは、ユーザ装置１から通知された受信タイミング情報に基づいて連携情報を交換し、交換された連携情報に基づいて、ユーザ装置１に対する各種制御を行うようにしてもよい。
【００８４】
また、基地局２ａ及び基地局２ｂは、上記の処理手順によりユーザ装置１から通知された受信タイミング情報又は交換された連携情報に基づいて、ｍｅａｓｕｒｅｍｅｎｔ  ｇａｐ制御を行うようにしてもよい。例えば、基地局２ａのスケジューリング制御部２７が、図１３Ａ及び図１３ＢのＣＣ＃１において、「ｉ＋２」〜「ｉ＋７」のサブフレームをｍｅａｓｕｒｅｍｅｎｔ  ｇａｐ区間として設定した場合、基地局２ｂのスケジューリング制御部２７は、報告されたＣＣ＃２のサブフレーム（「ｎ＋１」）の１つ前のサブフレーム（「ｎ」）を起点として、すなわち、「ｎ」〜「ｎ＋６」のサブフレームについてはＤＬ及びＵＬの無線リソースを割当てないようにスケジューリングを行うようにしてもよい。
【００８５】
（処理手順の具体例（その１の変形例））
処理手順の具体例（その１の変形例）は、処理手順の具体例（その１）と同様の処理手順により受信タイミングのずれを測定するが、受信タイミング情報に時間のずれ「Ｘ」を含めないようにする。以下の説明において特に言及しない点は、処理手順の具体的（その１）と同一でよい。
【００８６】
まず、受信タイミング測定部１３は、ＣＣ＃１におけるいずれか１つのサブフレームを選択し、選択したサブフレームのＳＦＮ及びサブフレーム番号を記憶しておく。選択されたＣＣ＃１のサブフレームは、受信タイミング測定部１３が受信タイミングのずれを測定する際の基準になるサブフレームである。図１２Ａ及び図１２Ｂの例では、受信タイミング測定部１３は、「ａ／ｉ＋２」のサブフレームを選択したと仮定する。
【００８７】
続いて、受信タイミング測定部１３は、選択されたＣＣ＃１のサブフレーム（図１２Ａ及び図１２Ｂの例では「ａ／ｉ＋２」のサブフレーム）の開始地点〜終了地点までの間に開始地点があるＣＣ＃２のサブフレームを選択し、そのサブフレームのＳＦＮ及びサブフレーム番号を記憶しておく。図１２Ａ及び図１２Ｂの例では、「ｂ／ｎ＋１」のサブフレームが該当する。
【００８８】
続いて、報告部１４は、選択されたＣＣ＃１のサブフレーム（図１２Ａ及び図１２Ｂの例では「ａ／ｉ＋２」のサブフレーム）のＳＦＮ、サブフレーム番号及びＣＣ＃１を一意に識別する識別子と、選択されたＣＣ＃２のサブフレーム（図１２Ａ及び図１２Ｂの例では「ｂ／ｎ＋１」のサブフレーム）のＳＦＮ、サブフレーム番号及びＣＣ＃２を一意に識別する識別子とを、受信タイミング情報に格納して基地局２ａ又は／及び基地局２ｂに送信する（図１１のステップＳ１０３、Ｓ１０５又はＳ１０６）。
【００８９】
処理手順の具体例（その１の変形例）では、基地局２は、サブフレームのずれが図１３Ａの状態（すなわち、報告されたサブフレームどうしが重なる区間が多い場合）なのか、図１３Ｂの状態（すなわち、報告されたサブフレームどうしが重なる区間が少ない場合）なのか判断が出来ない。従って、例えば、基地局２ｂのＤＲＸ制御部２６は、報告されたＣＣ＃２のサブフレームのＳＦＮから所定の無線フレーム区間後（ＣＣ＃１と同様のＺ区間後）の無線フレームにおいて、報告されたＣＣ＃２のサブフレーム番号（「ｎ＋１」）のサブフレームを開始点としてＯｎ  ｄｕｒａｔｉｏｎ区間を設定するようにしてもよい。言い換えると、図１３Ａ及び図１３Ｂのどちらの場合であっても、基地局２ｂのＤＲＸ制御部２６は、「ｎ＋１」〜「ｎ＋６」のサブフレームをＯｎ  ｄｕｒａｔｉｏｎ区間に設定するようにしてもよい。
【００９０】
また、基地局２ａ及び基地局２ｂは、上記の処理手順によりユーザ装置１から通知された受信タイミング情報又は交換された連携情報に基づいて、ｍｅａｓｕｒｅｍｅｎｔ  ｇａｐ制御を行うようにしてもよい。例えば、基地局２ａのスケジューリング制御部２７が、図１３Ａ及び図１３ＢのＣＣ＃１において、「ｉ＋２」〜「ｉ＋７」のサブフレームをｍｅａｓｕｒｅｍｅｎｔ  ｇａｐ区間として設定した場合、基地局２ｂのスケジューリング制御部２７は、報告されたＣＣ＃２のサブフレーム番号（「ｎ＋１」）の１つ前のサブフレーム（「ｎ」）を起点として、すなわち、「ｎ」〜「ｎ＋６」のサブフレームについてはＤＬ及びＵＬの無線リソースを割当てないようにスケジューリングを行うようにしてもよい。
【００９１】
なお、上述の処理手順の具体例（その１の変形例）は一例であり、これに限られない。受信タイミング測定部１３は、基準となるＣＣ＃１のサブフレームの開始地点〜終了地点の間に開始地点があるＣＣ＃２のサブフレームを選択するようにしたが、例えば、受信タイミング測定部１３は、ＣＣ＃１で選択した基準となるサブフレームの開始地点〜終了地点の間に終了地点があるＣＣ＃２のサブフレームを選択するようにしてもよい。
【００９２】
この場合、ｍｅａｓｕｒｅｍｅｎｔ  ｇａｐ制御において、例えば、基地局２ａのスケジューリング制御部２７が、図１３Ａ及び図１３ＢのＣＣ＃１において、「ｉ＋２」〜「ｉ＋７」のサブフレームをｍｅａｓｕｒｅｍｅｎｔ  ｇａｐ区間として設定した場合、基地局２ｂのスケジューリング制御部２７は、報告されたＣＣ＃２のサブフレーム番号（「ｎ」）を起点として、すなわち、「ｎ」〜「ｎ＋６」のサブフレームについてはＤＬ及びＵＬの無線リソースを割当てないようにスケジューリングを行うようにしてもよい。
【００９３】
なお、受信タイミング測定部１３は、ＣＣ＃１及びＣＣ＃２のサブフレーム開始地点の前後関係の差が非常に小さい場合（例えば、前後関係の差が所定の閾値以下である場合）、ユーザ装置１の報告部１４は、基準になるＣＣ＃１のサブフレームと重なる区間が最も
長いＣＣ＃２のサブフレームを選択して受信タイミング情報に格納するようにしてもよい。また、当該前後関係の差を判断する際に用いられる所定の閾値として、受信タイミング測定部１３は、例えば、同期ＤＣにおいて規定されている、ＣＧ間（例えば、ＰＣｅｌｌ及びＰＳＣｅｌｌ）におけるサブフレームの受信タイミングの差（言い換えると、最大ＤＬ受信タイミングの差、又は、最大ＵＬ送信タイミングの差）を用いるようにしてもよい。また、報告部１４は、当該前後関係の差が非常に小さいことを示す情報を、受信タイミング情報に含めて基地局２に通知するようにしてもよい。
【００９４】
これにより、当該前後関係の差が非常に小さい場合、基地局２ａ及び基地局２ｂは、ｍｅａｓｕｒｅｍｅｎｔ  ｇａｐ制御を、例えば、後述の処理手順の具体例（その２）と同様の処理手順により行うことができる。
【００９５】
（処理手順の具体例（その２））
図１４Ａ及び図１４Ｂは、受信タイミングのずれの測定方法及び受信タイミング情報の一例（その２）を説明するための図である。図１５Ａ及び図１５Ｂは、ＤＲＸ制御におけるＯｎ  ｄｕｒａｔｉｏｎ区間（その２）を説明するための図である。以下の説明において特に言及しない点は、処理手順の具体的（その１）と同一でよい。
【００９６】
まず、受信タイミング測定部１３は、ＣＣ＃１におけるいずれか１つのサブフレームを選択し、選択したサブフレームのＳＦＮ及びサブフレーム番号を記憶しておく。選択されたＣＣ＃１のサブフレームは、受信タイミング測定部１３が受信タイミングのずれを測定する際の基準になるサブフレームである。図１４Ａ及び図１４Ｂの例では、受信タイミング測定部１３は、「ａ／ｉ＋２」のサブフレームを選択したと仮定する。
【００９７】
続いて、受信タイミング測定部１３は、選択されたＣＣ＃１のサブフレーム（図１４Ａ及び図１４Ｂの例では「ａ／ｉ＋２」のサブフレーム）の開始地点〜終了地点までの間に開始地点があるＣＣ＃２のサブフレームを選択し、そのサブフレームのＳＦＮ及びサブフレーム番号を記憶しておく。図１４Ａ及び図１４Ｂの例では、「ｂ／ｎ＋１」のサブフレームが該当する。
【００９８】
続いて、受信タイミング測定部１３は、選択されたＣＣ＃１のサブフレーム（図１４Ａ及び図１４Ｂの例では「ａ／ｉ＋２」のサブフレーム）の開始地点と、選択されたＣＣ＃２のサブフレーム（図１４Ａ及び図１４Ｂの例では「ｂ／ｎ＋１」のサブフレーム）の開始地点との間の時間のずれ「Ｘ」を測定し、測定したＸの値を記憶しておく。
【００９９】
続いて、報告部１４は、Ｘの値が０．５ｍｓより短い場合、選択されたＣＣ＃１のサブフレーム（図１４Ａの例では「ａ／ｉ＋２」のサブフレーム）のＳＦＮ、サブフレーム番号及びＣＣ＃１を一意に識別する識別子と、選択されたＣＣ＃２のサブフレーム（図１４Ａの例では「ｂ／ｎ＋１」のサブフレーム）のＳＦＮ、サブフレーム番号及びＣＣ＃２を一意に識別する識別子とを、受信タイミング情報に格納して基地局２ａ又は／及び基地局２ｂに送信する。
【０１００】
また、報告部１４は、Ｘの値が０．５ｍｓ以上の場合、選択されたＣＣ＃１のサブフレーム（図１４Ｂの例では「ａ／ｉ＋２」のサブフレーム）のＳＦＮ、サブフレーム番号及びＣＣ＃１を一意に識別する識別子と、選択されたＣＣ＃２のサブフレームの１つ前のサブフレーム（図１４Ｂの例では「ｂ／ｎ」のサブフレーム）のＳＦＮ、サブフレーム番号及びＣＣ＃２を一意に識別する識別子とを、受信タイミング情報に格納して基地局２ａ又は／及び基地局２ｂに送信する。
【０１０１】
なお、図１４Ａは、選択されたＣＣ＃１のサブフレームと選択されたＣＣ＃２のサブフレームとの間の時間のずれ（Ｘの値）が、サブフレーム間隔の半分（０．５ｍｓ）より短い場合の一例を示しており、図１４Ｂは、Ｘの値が、サブフレーム間隔の半分（０．５ｍｓ）以上の場合の一例を示している。
【０１０２】
処理手順の具体例（その２）において、基地局２は、受信タイミング情報で報告されたＣＣ＃１のサブフレーム及びＣＣ＃２のサブフレームは、少なくとも、半分以上（０．５ｍｓ以上）重なっていると判断するようにする。基地局２ａのＤＲＸ制御部２６は、報告されたＣＣ＃１のサブフレームのＳＦＮから所定の無線フレーム区間後（例えばＺ区間後）の無線フレームにおいて、報告されたＣＣ＃１のサブフレーム番号のサブフレームを開始点としてＯｎ  ｄｕｒａｔｉｏｎ区間を設定するようにしてもよい。同様に、基地局２ｂのＤＲＸ制御部２６は、報告されたＣＣ＃２のサブフレームのＳＦＮから所定の無線フレーム区間後（ＣＣ＃１と同様のＺ区間後）の無線フレームにおいて、報告されたＣＣ＃２のサブフレーム番号（「ｎ」又は「ｎ＋１」）のサブフレームを開始点としてＯｎ  ｄｕｒａｔｉｏｎ区間を設定するようにしてもよい。このようにＯｎ  ｄｕｒａｔｉｏｎ区間が設定された場合の様子を図１５Ａ及び図１５Ｂに示す。なお、太枠で示されているサブフレームは、受信タイミング情報で報告されたサブフレーム番号に該当するサブフレームを示している。図１５Ａは、Ｘの値が０．５ｍｓ未満であった場合の一例を示し、図１５Ｂは、Ｘの値が０．５ｍｓ以上であった場合の一例を示している。
【０１０３】
以上説明した処理手順の具体的（その２）は、処理手順の具体的（その１）と異なり、受信タイミング情報に時間のずれ「Ｘ」を含めないようにしている。すなわち、処理手順の具体的（その２）は、処理手順の具体的（その１）と比較して、制御信号（シグナリング信号）を削減することができる。
【０１０４】
なお、報告部１４は、例えば、ＣＣ＃２のサブフレームのＳＦＮ、及びサブフレーム番号の代わりに、ＣＣ＃１のサブフレームのＳＦＮとの差分（例えば、ＣＣ＃２のＳＦＮからＣＣ＃１のＳＦＮを引いた値）と、ＣＣ＃１のサブフレーム番号との差分（例えば、ＣＣ＃２のサブフレーム番号からＣＣ＃１のサブフレーム番号を引いた値）とを受信タイミング情報に格納するようにしてもよい。逆に、報告部１４は、例えば、ＣＣ＃１のサブフレームのＳＦＮ、及びサブフレーム番号の代わりに、ＣＣ＃２のサブフレームのＳＦＮとの差分（例えば、ＣＣ＃１のＳＦＮからＣＣ＃２のＳＦＮを引いた値）と、ＣＣ＃２のサブフレーム番号との差分（例えば、ＣＣ＃１のサブフレーム番号からＣＣ＃２のサブフレーム番号を引いた値）とを受信タイミング情報に格納するようにしてもよい。また、報告部１４は、ＳＦＮ及びサブフレーム番号の各々の差分を計算するのではなく、ＳＦＮ及びサブフレーム番号が連結された値どうしを引き算することで差分を計算し、計算した差分を受信タイミング情報に格納するようにしてもよい。
【０１０５】
なお、基地局２ａ及び基地局２ｂは、上記の処理手順によりユーザ装置１から通知された受信タイミング情報又は交換された連携情報に基づいて、ｍｅａｓｕｒｅｍｅｎｔ  ｇａｐ制御を行うようにしてもよい。例えば、基地局２ａのスケジューリング制御部２７が、例えば図１５Ａ及び図１５ＢのＣＣ＃１において、「ｉ＋２」〜「ｉ＋７」のサブフレームをｍｅａｓｕｒｅｍｅｎｔ  ｇａｐ区間として設定した場合、基地局２ｂのスケジューリング制御部２７は、ＣＣ＃２において、例えば、報告されたＣＣ＃２のサブフレームの１つ前のサブフレームを起点として８つのサブフレーム、すなわち、図１５Ａでは、「ｎ」〜「ｎ＋７」のサブフレームについてはＤＬ及びＵＬの無線リソースを割当てないようにスケジューリングを行うようにして、図１５Ｂでは「ｎ−１」〜「ｎ＋６」のサブフレームについてはＤＬ及びＵＬの無線リソースを割当てないようにスケジューリングを行うようにしてもよい。なお、図１５ＡでＣＣ＃２の「ｎ＋７」のサブフレーム、図１５ＢでＣＣ＃２の「ｎ−１」のサブフレームも含まれるようにしているのは、基地局２ｂは、ユーザ装置１から通知された受信タイミング情報に設定されているＣＣ＃２のサブフレームの開始地点が、ＣＣ＃１のサブフレームの開始地点より前なのか後ろなのか分からない（つまり、図１５Ａ及び図１５Ｂのどちらの状態なのか分からない）ためである。
【０１０６】
（処理手順の具体例（その２の変形例））
前述のとおり、処理手順の具体例（その２）において、基地局２は、ユーザ装置１から通知された受信タイミング情報に格納されている、ＣＣ＃１のサブフレームの開始地点とＣＣ＃２のサブフレームの開始地点との前後関係を把握することができない。
【０１０７】
そこで、ユーザ装置１の報告部１４は、受信タイミング情報に、ＣＣ＃１のサブフレームの開始地点とＣＣ＃２のサブフレームの開始地点との前後関係を示す情報を追加するようにする。当該情報は、例えば、図１４Ａの状態を「０」とし、図１４Ｂの状態を「１」とする１ビットの情報であってもよいし、図１４Ａの状態を「１」とし、図１４Ｂの状態を「０」とする１ビットの情報であってもよい。また、ＣＣ＃１及びＣＣ＃２のサブフレーム開始地点の前後関係の差が非常に小さい場合（例えば、前後関係の差が所定の閾値以下である場合）、ユーザ装置１の受信タイミング測定部１３又は報告部１４は、前後関係を厳密に判断せずに、前後関係が図１４Ａの状態であるのか図１４Ｂの状態であるのかを固定的に選択するようにしてもよい。また、報告部１４は、当該前後関係を示す情報を通知しないようにして、当該前後関係の差が非常に小さいことを基地局２に暗に示すようにしてもよい。
【０１０８】
基地局２ａ及び基地局２ｂは、上記の処理手順によりユーザ装置１から通知された受信タイミング情報又は交換された連携情報に基づいて、ｍｅａｓｕｒｅｍｅｎｔ  ｇａｐ制御を行うようにしてもよい。例えば、基地局２ａのスケジューリング制御部２７が、例えば図１５Ａ及び図１５ＢのＣＣ＃１において、「ｉ＋２」〜「ｉ＋７」のサブフレームをｍｅａｓｕｒｅｍｅｎｔ  ｇａｐ区間として設定した場合、基地局２ｂのスケジューリング制御部２７は、図１５Ａの場合、ＣＣ＃２において、報告されたＣＣ＃２のサブフレーム（「ｎ＋１」）の１つ前のサブフレーム（「ｎ」）を起点として、すなわち「ｎ」〜「ｎ＋６」のサブフレームについてはＤＬ及びＵＬの無線リソースを割当てないようにスケジューリングを行うようにしてもよい。また、基地局２ｂのスケジューリング制御部２７は、図１５Ｂの場合、ＣＣ＃２において、報告されたＣＣ＃２のサブフレーム（「ｎ」）を起点として、すなわち「ｎ」〜「ｎ＋６」のサブフレームについてはＤＬ及びＵＬの無線リソースを割当てないようにスケジューリングを行うようにしてもよい。上述の通り、受信タイミング情報に、ＣＣ＃１のサブフレームの開始地点とＣＣ＃２のサブフレームの開始地点との前後関係を示す情報が含まれているため、基地局２ｂのスケジューリング制御部２７は、サブフレームのずれが、図１５Ａの状態なのか、図１５Ｂの状態なのかを判断することができる。
【０１０９】
（ユーザ装置における測定誤差について）
ユーザ装置１の受信タイミング測定部１３は、ＣＣ＃１のサブフレーム及びＣＣ＃２のサブフレームの間の時間のずれを測定するが、実際には測定誤差が発生する可能性がある。例えば、時間のずれ「Ｘ」の値が０．５ｍｓに近い場合、基地局２に通知される受信タイミング情報に誤りが生じることが想定される。
【０１１０】
図１６は、ユーザ装置における測定誤差を説明するための図である。例えば、図１６に示すように、ＣＣ＃１のサブフレームのほぼ中心に、ＣＣ＃２のサブフレームの開始地点が存在する場合（すなわち、Ｘの値がほぼ０．５ｍｓである場合）、ユーザ装置１が受信タイミングのずれは図１２Ａ又は図１４Ａの状態であると判断したとしても、実際の受信タイミングのずれは図１２Ｂ又は図１４Ｂの状態であることが想定される。この場合、基地局２には、誤った受信タイミング情報が通知されることになる。
【０１１１】
そこで、時間のずれ「Ｘ」の値が所定の閾値の範囲である場合、報告部１４は、受信タイミング情報に、測定誤差により誤った状態を通知している可能性がある旨を示す情報を含めるようにして、基地局２に送信するようにしてもよい。
【０１１２】
また、当該所定の閾値は、予めユーザ装置１に記憶されていてもよいし、基地局２から報知情報やシステム情報等でユーザ装置１に通知されるようにしてもよい。
【０１１３】
これにより、基地局２は、ＤＲＸ制御やｍｅａｓｕｒｅｍｅｎｔ  ｇａｐ制御を行う際に、ユーザ装置１から通知された受信タイミング情報に測定誤差が含まれている可能性があると判断することができ、測定誤差が含まれていることを考慮した制御を行うことが可能になる。
【０１１４】
＜効果＞
以上、実施の形態によれば、キャリアアグリゲーションをサポートする通信システムにおいて、第一の基地局と第二の基地局と通信を行うユーザ装置であって、前記第一の基地局から受信する第一の無線信号の受信タイミングと、前記第二の基地局から受信する第二の無線信号の受信タイミングとの間のタイミングのずれを測定する測定部と、前記測定部により測定された、前記タイミングのずれを示す情報を前記第一の基地局又は前記第二の基地局に送信する送信部と、を有するユーザ装置が提供される。
【０１１５】
このユーザ装置１により、複数の基地局２から送信される無線信号の各々のサブフレームのずれをユーザ装置１が検出して基地局に通知する技術が提供される。
【０１１６】
また、前記測定部は、前記タイミングのずれが所定の閾値に含まれているか否かを判断し、前記送信部は、前記タイミングのずれが所定の閾値に含まれている場合、前記タイミングのずれが所定の閾値に含まれていることを示す情報を、前記第一の基地局又は前記第二の基地局に送信するようにしてもよい。
【０１１７】
これにより、基地局２は、ユーザ装置１から通知された受信タイミング情報に測定誤差が含まれている可能性があると判断することができ、測定誤差が含まれていることを考慮した各種制御を行うことが可能になる。
【０１１８】
また、前記タイミングのずれを示す情報は、前記第一の無線信号を構成するサブフレームのシステムフレーム番号及びサブフレーム番号と、前記第二の無線信号を構成するサブフレームのシステムフレーム番号及びサブフレーム番号とを含むようにしてもよい。
【０１１９】
これにより、基地局２は、受信タイミングのずれをサブフレーム単位で識別することが可能になる。また、これにより、ＤＣによるＣＡを構成する各基地局２の間で、ＤＲＸ制御又はｍｅｓｕｒｅｍａｎｅｔ  ｇａｐ制御を連携して行うことができ、ユーザ装置１の消費電力を削減することが可能になると共に、ユーザ装置１が通信出来ない期間（ｍｅａｓｕｒｅｍａｎｅｔ  ｇａｐ区間）において、無駄に無線リソースを割当ててしまうことを防止することができる。
【０１２０】
また、前記タイミングのずれを示す情報は、更に、前記第一の無線信号を構成するサブフレームの予め定められた測定タイミングと、前記第二の無線信号を構成するサブフレームの予め定められた測定タイミングとの間の時間の差分を示す情報を含むようにしてもよい。
【０１２１】
これにより、基地局２は、ＣＣごとのサブフレームの受信タイミングのずれを、詳細に識別することが可能になる。また、これにより、ユーザ装置１の消費電力を更に削減することが可能になると共に、ユーザ装置１が通信出来ない期間において、無駄に無線リソースを割当ててしまうことを防止することができる。
【０１２２】
また、前記測定部は、前記第一の無線信号を構成するサブフレームの予め定められた測定タイミングと、前記第二の無線信号を構成するサブフレームの予め定められた測定タイミングとを比較することで、前記タイミングのずれを測定するようにしてもよい。
【０１２３】
また、前記予め定められた測定タイミングは、サブフレームの開始タイミング、サブフレームの開始タイミング及び終了タイミングの中間のタイミング、又は、サブフレームの終了タイミングであってもよい。
【０１２４】
これにより、ユーザ装置１は、様々な測定タイミングにより、各ＣＣの間のサブフレームの受信タイミングのずれを測定することが可能になる。
【０１２５】
また、実施の形態によれば、キャリアアグリゲーションをサポートする通信システムにおいて、ユーザ装置と通信を行う基地局であって、前記ユーザ装置から、当該基地局から送信される第一の無線信号の受信タイミングと、当該基地局とは異なる他の基地局から送信される第二の無線信号の受信タイミングとの間のタイミングのずれを示す情報を受信する受信手段と、前記タイミングのずれを示す情報に基づいて、前記ユーザ装置を制御する制御手段と、を有する基地局が提供される。
【０１２６】
この基地局２により、複数の基地局２から送信される無線信号の各々のサブフレームのずれをユーザ装置１が検出して基地局に通知する技術が提供される。
【０１２７】
また、前記制御手段は、前記タイミングのずれを示す情報に基づいて、前記ユーザ装置に対する無線リソースのスケジューリング、又は、前記ユーザ装置に間欠受信タイミングを指示するようにしてもよい。
【０１２８】
これにより、ＤＣによるＣＡを構成する各基地局２の間で、ＤＲＸ制御又はｍｅｓｕｒｅｍａｎｅｔ  ｇａｐ制御を連携して行うことができ、ユーザ装置１の消費電力を削減することが可能になると共に、ユーザ装置１が通信出来ない期間において、無駄に無線リソースを割当ててしまうことを防止することができる。
【０１２９】
＜実施形態の補足＞
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べたシーケンス及びフローチャートは、矛盾の無い限り順序を入れ替えてもよい。処理説明の便宜上、ユーザ装置１及び基地局２は機能的なブロック図を用いて説明されたが、そのような装置はハードウェアで、ソフトウェアで又はそれらの組み合わせで実現されてもよい。本発明の実施の形態に従ってユーザ装置１が有するプロセッサにより動作するソフトウェア及び本発明の実施の形態に従って基地局２が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【０１３０】
本発明は上記実施形態に限定されず、本発明の精神から逸脱することなく、様々な変形例、修正例、代替例、置換例等が本発明に包含される。
【０１３１】
なお、実施の形態において、受信タイミング測定部１３は測定手段の一例である。報告部１４及び信号送信部１２は、送信手段の一例である。受信タイミング情報又は連携情報は、タイミングのずれを示す情報の一例である。信号受信部２１及び連携情報交換部２４は、受信手段の一例である。ＤＲＸ制御部２６又はスケジューリング制御部２７は、制御手段の一例である。
【０１３２】
本特許出願は２０１５年４月３日に出願した日本国特許出願第２０１５−０７７２２５号に基づきその優先権を主張するものであり、日本国特許出願第２０１５−０７７２２５号の全内容を本願に援用する。
【符号の説明】
【０１３３】
１  ユーザ装置
２  基地局
３  セル
１１  信号受信部
１２  信号送信部
１３  受信タイミング測定部
１４  報告部
２１  信号受信部
２２  信号送信部
２３  基地局間通信部
２４  連携情報交換部
２５  記憶部
２６  ＤＲＸ制御部
２７  スケジューリング制御部
１０１  ＲＥモジュール
１０２  ＢＢ処理モジュール
１０３  装置制御モジュール
１０４  ＳＩＭスロット
２０１  ＲＥモジュール
２０２  ＢＢ処理モジュール
２０３  装置制御モジュール
２０４  通信ＩＦ
【図１】
2016157657.tif 000003
【図２】
2016157657.tif 000004
【図３Ａ】
2016157657.tif 000005
【図３Ｂ】
2016157657.tif 000006
【図４】
2016157657.tif 000007
【図５】
2016157657.tif 000008
【図６】
2016157657.tif 000009
【図７】
2016157657.tif 000010
【図８】
2016157657.tif 000011
【図９】
2016157657.tif 000012
【図１０】
2016157657.tif 000013
【図１１】
2016157657.tif 000014
【図１２Ａ】
2016157657.tif 000015
【図１２Ｂ】
2016157657.tif 000016
【図１３Ａ】
2016157657.tif 000017
【図１３Ｂ】
2016157657.tif 000018
【図１４Ａ】
2016157657.tif 000019
【図１４Ｂ】
2016157657.tif 000020
【図１５Ａ】
2016157657.tif 000021
【図１５Ｂ】
2016157657.tif 000022
【図１６】
2016157657.tif 000023
【手続補正書】
【提出日】平成29年6月8日(2017.6.8)
【手続補正１】
【補正対象書類名】特許請求の範囲
【補正対象項目名】全文
【補正方法】変更
【補正の内容】
【特許請求の範囲】
【請求項１】
キャリアアグリゲーションをサポートする通信システムにおいて、第一の基地局と第二の基地局と通信を行うユーザ装置であって、
前記第一の基地局から受信する第一の無線信号の受信タイミングと、前記第二の基地局から受信する第二の無線信号の受信タイミングとの間のタイミングのずれを測定する測定部と、
前記測定部により測定された、前記タイミングのずれを示す情報を前記第一の基地局又は前記第二の基地局に送信する送信部と、
を有するユーザ装置。
【請求項２】
前記測定部は、前記タイミングのずれが所定の閾値に含まれているか否かを判断し、
前記送信部は、前記タイミングのずれが所定の閾値に含まれている場合、前記タイミングのずれが所定の閾値に含まれていることを示す情報を、前記第一の基地局又は前記第二の基地局に送信する、請求項１に記載のユーザ装置。
【請求項３】
前記タイミングのずれを示す情報は、前記第一の無線信号のＳＦＮと前記第二の無線信号のＳＦＮとの差分と、前記第一の無線信号を構成するサブフレーム番号と前記第二の無線信号を構成するサブフレーム番号との差分とを含む、請求項１又は２に記載のユーザ装置。
【請求項４】
前記タイミングのずれを示す情報は、更に、前記第一の無線信号を構成するサブフレームの予め定められた測定タイミングと、前記第二の無線信号を構成するサブフレームの予め定められた測定タイミングとの間の時間の差分を示す情報を含む、請求項３に記載のユーザ装置。
【請求項５】
前記測定部は、前記第一の無線信号を構成するサブフレームの予め定められた測定タイミングと、前記第二の無線信号を構成するサブフレームの予め定められた測定タイミングとを比較することで、前記タイミングのずれを測定する、請求項１乃至４のいずれか一項に記載のユーザ装置。
【請求項６】
前記予め定められた測定タイミングは、サブフレームの開始タイミング、サブフレームの開始タイミング及び終了タイミングの中間のタイミング、又は、サブフレームの終了タイミングである、請求項５に記載のユーザ装置。
【請求項７】
前記通信システムは、デュアルコネクティビティをサポートする、請求項１乃至６のいずれか一項に記載のユーザ装置。
【請求項８】
キャリアアグリゲーションをサポートする通信システムにおいて、ユーザ装置と通信を行う基地局であって、
前記ユーザ装置から、当該基地局から送信される第一の無線信号の受信タイミングと、当該基地局とは異なる他の基地局から送信される第二の無線信号の受信タイミングとの間のタイミングのずれを示す情報を受信する受信手段と、
前記タイミングのずれを示す情報に基づいて、前記ユーザ装置を制御する制御手段と、
を有する基地局。
【請求項９】
前記制御手段は、前記タイミングのずれを示す情報に基づいて、前記ユーザ装置に対する無線リソースのスケジューリング、又は、前記ユーザ装置に間欠受信タイミングを指示する、請求項８に記載の基地局。
【国際調査報告】
2016157657.tif 000024
2016157657.tif 000025
2016157657.tif 000026
2016157657.tif 000027